(57)【要約】【課題】上衣部と下衣部が連結されていることにより、脱衣や便いじりの防止機能を有する衣服において、外出に耐える意匠性を有し、着用者の脱衣行為やオムツに手を入れようとする行為に耐える丈夫な素材を用いた場合であっても、快適な着心地が得られ、製造コストが低い衣服。【解決手段】上衣部とズボン型の下衣部が一体化された衣服において、前記上衣部の身頃が内身頃と外身頃の２層構造から成り、前記内身頃の下端が前記下衣部の上端に第１の連結部において連結され、前記外身頃の上端が前記内身頃に第２の連結部において連結され、前記上衣部の背面にファスナー式の開閉部を備えることを特徴とする。【選択図】図１
2018035484.tif 000002
【特許請求の範囲】
【請求項１】
上衣部とズボン型の下衣部が一体化された衣服において、
前記上衣部の身頃が内身頃と外身頃の２層構造から成り、
前記内身頃の下端が前記下衣部の上端に第１の連結部において連結され、
前記外身頃の上端が前記内身頃に第２の連結部において連結され、
前記上衣部の背面にファスナー式の開閉部を備えることを特徴とする衣服。
【請求項２】
前記第2の連結部が前記内身頃の左右の袖回りの中心を繋ぐ直線より下位にあることを特徴とする請求項１に記載の衣服。
【請求項３】
前記第１の連結部は前記外身頃の下端より上位にあることを特徴とする請求項１または２に記載の衣服。
【請求項４】
前記ファスナー式の開閉部は、前記上衣部の背面の背骨に沿った軸上に配置され、開閉部の開放始点は首回りと前記軸の交点にあり、開閉部の開放終点は、着用者の腰椎上の領域であることを特徴とする請求項１または２または３に記載の衣服。
【発明の詳細な説明】
【技術分野】
【０００１】
本発明は、主に脱衣・便いじりを問題行動にもつ子供用の衣服に係るものであり、子供自身による脱衣や便いじりの行為を防ぐことができ、かつ外出用の衣服としての十分な意匠性を有する衣服に関する。
【背景技術】
【０００２】
自閉症は、コミュニケーションにおける質的な障害、意思伝達の質的な障害、限定され繰り返される行動、興味、活動により特徴づけられる先天的な障害とされ、これらに起因して様々な問題行動が表れる場合がある。問題行動の表れ方には非常に大きな個人差があり、ほとんど表れずに穏やかな生活が続く場合もあれば、他害や自傷行為などのように重大な問題行動に発展し生活が困難となる場合もある。また、ある日突然として問題行動が始まったり、反対に、自然と消滅するケースもある。ほとんどの場合、問題行動には原因があり、周囲がその原因を注意深く観察し、適した対応や環境の整備を行うことにより、改善に向かうことができる。
【０００３】
脱衣や便いじりも比較的よく表れる問題行動の一つである。場所を選ばずに服を脱いでしまったり、下着やオムツに手を入れて汚物に触れ、周囲を汚してしまうことにより、親は常に監視しなければならない状態となり、外出や面会を警戒するようになる。この状態が続けば、本人は自宅に閉じこもることとなり、遊びや学習の機会が減り、その後の成長にも影響を及ぼす恐れがある。
【０００４】
ところで、特に幼少期の意思伝達を行うための十分な言葉を持たない自閉症児に対し、行動療法に基づく方法により大きな治療効果が得られる場合がある。これは、ある行動の直後に楽しいことや嬉しいことを体験すればその後その行動は増え（強化）、ある行動の直後に不快なことを体験したり、あるいは何も起こらなければ、その行動は減る（消去）という基本原則に則っている。
【０００５】
脱衣や便いじりには様々な原因が考えられ、例えば、周囲の注目が得られたことにより強化された結果であったり、そもそも感覚過敏の問題があり衣服の縫い目や素材などが不快であったり、単に気持ちが良いという理由だったりする。しかし、その行為が繰り返し行われることにより強化され、やがて拘りとなれば、解決はより困難となる。一方、初期の段階でその行為が達成される機会を減らすことによりその行為が消去される可能性は高い。その方法の一つとして脱衣や便いじりをしにくい衣服を選択することがあるかもしれない。実際につなぎ等の衣服を継続して着用することにより、脱衣や便いじりの行動が改善される効果が得られることがある。
【０００６】
脱衣や便いじりを防止するいくつかの衣服が知られている。
【０００７】
特許文献１の介護用衣服は、上衣部とズボン状の下衣部が一体化されたパジャマであり、前身頃と後身頃が肩部に設けられたボタンにより連結されている。該介護用衣服には左右側部には袖口から膝下まで延びるスライドファスナーが取り付けられており、スライドファスナーは、その開放始点が袖口にあり、開閉具の移動を規制する規制部材を備えることにより、開放始点を見えにくくするとともに、着用者がスライドファスナーを開けてしまうことを防止している。
【０００８】
また、特許文献２の介護用衣服は、上衣部と該上衣部に接続された下衣部を備え、下衣部の前身頃の下端部から延びる股覆い部が、下衣部の後身頃の外面に結合手段により結合されることにより、仰向けに寝ている患者が容易にオムツ内の汚物に触れるなどの行為に及ぶことを防止している。
【０００９】
一方、一般に意匠性の高い上下一体型の衣服が知られている。
【００１０】
例えば、図５に示すような婦人用のオールインワン型の衣服は、上衣部５１とズボン型の下衣部５２が一体化されており、上衣部５１の身頃が内身頃５３と外身頃５４の２層構造から成り、内身頃５３の下端が下衣部５２の上端に連結され、外身頃５４の上端が内身頃５３の上端に連結され、上衣部５１の背面にファスナー式の開閉部を備えている。
【先行技術文献】
【特許文献】
【００１１】
【特許文献１】特開２０１５−６３７７０号公報
【特許文献２】特開２００９−２７５３０１号公報
【発明の概要】
【発明が解決しようとする課題】
【００１２】
特許文献１および特許文献２に記載の介護用衣服は、上衣部と下衣部が連結されていることにより、脱衣や便いじりの防止機能を有しているが、両側面ファスナーや股覆い部が通常の衣服から逸脱した外観を持ち、外出に耐えるような意匠性を有していなかった。一方、図５に示すような婦人用のオールインワン型の衣服は、薄手の生地で作ることを前提としており、着用者の無理な脱衣行為やオムツに手を入れようとする行為に耐える丈夫な素材を用いた場合、２層構造の上衣に熱がこもり、ごわつき感が強く、快適な着心地が得られないとともに、多くの生地を使用するため製造コストが高くなる問題があった。
【課題を解決するための手段】
【００１３】
本発明の請求項１に記載の衣服では，上衣部とズボン型の下衣部が一体化された衣服において、前記上衣部の身頃が内身頃と外身頃の２層構造から成り、前記内身頃の下端が前記下衣部の上端に第１の連結部において連結され、前記外身頃の上端が前記内身頃に第２の連結部において連結され、前記上衣部の背面にファスナー式の開閉部を備えることを特徴とする。
【００１４】
また、本発明の請求項２に記載の衣服では、前記第２の連結部が前記内身頃の左右の袖回りの中心を繋ぐ直線より下位にあることを特徴とする。
【００１５】
また、本発明の請求項３に記載の衣服では、前記第１の連結部は前記外身頃の下端より上位にあることを特徴とする。
【００１６】
また、本発明の請求項４に記載の衣服では、前記ファスナー式の開閉部は、前記上衣部の背面の背骨に沿った軸上に配置され、開閉部の開放始点は首回りと前記軸の交点にあり、開閉部の開放終点は、着用者の腰椎上の領域であることを特徴とする。
【発明の効果】
【００１７】
本発明の請求項１に記載の衣服によれば、上衣部の内身頃の下端が下衣部の上端に連結され、上衣部の外身頃の上端が内身頃に連結されていることにより、着衣者が容易に脱衣やオムツいじりの機会を得てそれらの行為が習慣化し、日常生活や外出が困難な状況となることを防止することができると同時に、前記内身頃の上端から前記第２の連結部までの範囲と前記外身頃を合わせた領域が、あたかも一枚の上衣のように見える錯覚効果が生じ、上下分離型の衣服と同等の見た目が実現され、意匠性が高く、自由度の高いデザイン展開が可能となる。
【００１８】
また、本発明の衣服は、上衣部の背面に備えたファスナー式の開閉部を介して、介助者の手により、一度に着脱できるため、介助者がオムツ替えや着替えの度に複数の着衣を着脱する手間を低減することができる。
【００１９】
また、本発明の請求項２に記載の衣服によれば、本発明の衣服は、前記第２の連結部と内身頃の上端までの範囲が一枚の生地により構成できるため、着衣者の無理な脱衣行為に耐える丈夫な素材を用いても、涼しくかつごわつき感の少ない快適な着心地が得られるとともに、上身頃の生地の節約により製造コストが低減され、第２の連結部の位置や縫合方法に工夫を加えることにより、意匠性の幅をさらに広げることができる。
【００２０】
また、本発明の請求項３に記載の衣服によれば、前記第１の連結部が外身頃の下端より上位にあるため、該連結部が外身頃により隠され、錯覚効果によりあたかも上衣部と分離された下衣部のウエストが存在するようなより自然な見た目を実現することができる。
【００２１】
また、本発明の請求項４に記載の衣服によれば、着用者は脱ぎにくく、介助者はストレスなく着脱が可能であり、着用者が寝転がる、椅子に寄りかかるなどの動作時におけるファスナーに起因した刺激が少なく、ボトムスの重ね着などの着回しの自由度が阻害されない衣服を実現することができる。
【図面の簡単な説明】
【００２２】
【図１】本発明に係る衣服の実施例を示す正面図
【図２】本発明に係る衣服の実施例を示す背面図
【図３】本発明に係る衣服の別の実施例を示す正面図
【図４】本発明に係る衣服の別の実施例を示す背面図
【図５】婦人用オールインワン型衣服の正面図
【図６】本発明に係る衣服の着用時間と問題行動の発生頻度
【発明を実施するための形態】
【００２３】
以下、本発明に係る衣服の実施の形態を図面に基づいて説明する。
【００２４】
図１は本発明の衣服の一実施形態の正面図、図２はその背面図である。本衣服の上衣部は、同色で同素材の内身頃１１と外身頃１２から構成されている。内身頃１１は下衣部１４と第１の連結部ｅ、ｆにおいて縫合されている。上衣部と下衣部に用いる素材は綿１００％の天竺、フライス、スムースなどのニット生地が望ましいがその限りではない。上衣の袖は長袖、半袖、七分丈などのデザインを適用することができるが、タンクトップなど容易に腕が抜けるようなデザインは適用されない。下衣部は薄手のニットによるレギンスタイプと、厚手のニットによるパンツタイプのいずれかが望ましい。下衣部も長ズボンや七分丈が適用できるが、半ズボンやハーフパンツタイプなどのように裾から手が入りやすいデザインは適用されない。
【００２５】
外身頃１２は内身頃１１とｄ、ｃ、ｈ、ｇ、ｈ’、ｃ’を結ぶ第２の連結部において縫合されている。ここで、上記第２の連結部の位置は、快適性、意匠性、製造コストに寄与する。すなわち、第２の連結部の位置が上位になるほど上衣部の見える部分ａ、ｂ、ｄ、ｏ、ｐ、ｇ、ｉ、ｊがあたかも一体の上衣のように見える錯覚効果が生じ、上下分離型の衣服と同等の見た目が実現され、意匠性が高く、自由度の高いデザイン展開が可能となるが、２層構造となる面積が増えるため、上衣に熱がこもり、ごわつき感が強く、快適な着心地が得られないとともに、多くの生地を使用するため製造コストが高くなる。一方、第２の連結部の位置が下位になるほど、ごわつきや、熱の問題が解消され、安価に製造することが可能となるが、内身頃の見える部分ａ、ｂ、ｃ、ｈ、ｉ、ｊと外身頃の見える部分ｄ、ｏ、ｐ、ｇが異なるパーツであることが強調されることにより意匠性が低くなる。快適な着心地を実現するために、第２の連結部は、右袖回りの上部ｂと右袖回りの下部ｄを結ぶ曲線ｂ、ｄの中点と、左袖回りの上部ｉと左袖回りの下部ｇを結ぶ曲線ｉ、ｇの中点とを結ぶ直線より下位にあるのが望ましい。
【００２６】
衣服の着脱は背面のファスナー式開閉部２１を介して行う。一般に、幼児は背中に手が届きにくい。したがって、ファスナー式開閉部を背骨に沿った軸上配置し、開放始点ｙを首回りと前記軸との交点におくことにより、着用者は自分では脱ぎにくく、介助者は容易に脱着ができ、さらに意匠性の高いデザインを実現することができる。ファスナー式開閉部の開放終点ｘの位置は、着脱機能性、快適性、着回しの自由度に寄与する。すなわち、開放終点ｘが上位なほど、ファスナーが背中に接触する面積が少なくなるため、着用者が寝転がる、椅子に寄りかかるなどの動作時におけるファスナーに起因した刺激を減少させることができるが、介助者による着脱が困難となる。また、開放終点ｘが着用者の腰椎上の位置より下位となった場合、ボトムスの重ね着が困難となることから、着回しの自由度が著しく低下する。介助者がストレスなく着脱可能でかつ着用者の快適性が確保され、着回しの自由度が阻害されない最適な開放終点ｘの位置は、着用者の腰椎上の領域である。
【００２７】
前記ファスナー式の開閉部の開放始点に、開閉具を覆い隠すカバー部材２２を備えることにより、着衣者が寝転がる等の激しい運動を行い開閉具が素肌と接触するなどして怪我を負う危険性や、開閉具と素肌が接触することによるアレルギー性の皮膚炎発症のリスクを低減するとともに、着用者が開閉具を操作することの防止効果をより高めることができる。また、前記カバー部材２２の内部に前記開閉具の一部を収納するポケットを備えることにより、着衣者が開閉具を操作することの防止効果を更に高めることができる。
【００２８】
外身頃の下端ｏ、ｐの位置は、衣服の意匠性に寄与する。第１の連結部ｅ、ｆが外身頃の下端より上位にあることにより、該連結部が外身頃１１により隠され、錯覚効果によりあたかも上衣部と分離された下衣部のウエストが存在するようなより自然な見た目を実現することができる。
【００２９】
本実施の形態では、上衣部は同色で同素材の内身頃１１と外身頃１２から構成されているとしているが、生地の色と素材の組み合わせはこれに限定されない。内身頃１１と外身頃１２として異なる色や素材を組み合わせることにより、多様なデザイン展開を実現できる。また、内身頃１１の素材は単一素材に限定されない。例えば部分的にメッシュ素材を用いることにより、夏でも涼しく速乾性に優れた衣服を提供できる。また、腹部のみに伸縮性に優れた素材を用いることにより、内身頃がウエスト位置で固定され、着崩れを防止することができる。
【００３０】
図３は本発明の衣服の別の一実施形態の正面図、図４はその背面図である。外身頃の下端ｏ、ｐの位置を股部の最下部uより下位まで延長することにより上衣部の見える部分ａ、ｂ、ｄ、ｏ、ｐ、ｇ、ｉ、ｊがあたかも一体のワンピースのように見えるデザインが実現できる。
【００３１】
図６は図１、図２に示す衣服を実際に便いじりを問題行動に持つ子供に着用した場合の問題行動の発生頻度を時系列で測定した事例結果である。
【００３２】
被験者は、着用開始時点において、年齢：４歳２か月、ＤＱ（発達指数）４３、性別：男、言語コミュニケーションは限定された要求が可能な程度であり、２４時間オムツ着用、トイレ経験なしであり、すでに約１年間に渡り、昼夜を問わず排便時にオムツに手を入れて、壁、床、ベッド、手、顔などを汚す問題行動を持ち、本人、家族ともに日常生活に支障をきたしていた。着用以前の対処法として、排便直後にオムツ交換を行うことや、排便直前の行動を合図にトイレに連れていくことを試みたが、排便とほぼ同時に問題行動を開始していること、２４時間監視が困難であることから、解決は困難であった。また、衣服の工夫として、一般のつなぎ服（作業服、着ぐるみ風パジャマ）、オーバーオールの着用は一定の効果が得られたが、被験者が脱衣の方法を習得する度に問題行動は再発し、むしろ脱衣行動が強化されているように見えた。さらに、ロンパース下着の股下のボタンをズボンの上から固定するなどの方法も試みたが、そのような特異な衣服の着用方法やいつもつなぎ服を着ていることに対し、親は周囲からの質問を受けることが多く、説明に苦労していた。
【００３３】
図６は着用を開始した月を第１月とし、第１２月までの１年間の着用時間と便いじりの発生頻度をプロットしている。ここで、着用時間は１日の覚醒時間のうち本発明の衣服を着用した時間の月平均であり、発生頻度は、手で便を触った形跡があれば全てカウントし、一月で発生した回数の総数とした。第０月以前は、ベースラインとして測定したもので、着用開始前３か月間のデータを示している。測定は日常の生活の中で行われ、測定のために条件や制限は一切設定していない。図６より、着用開始以前は平均して週に２〜３回程度の頻度で問題行動が発生していることが分かる。本事例では、母親が主婦であり、被験者はほとんど常に母親の目の届く範囲にいた。平均して１日に２回の排便をし、排便とほぼ同時にオムツに手を入れることから、オムツに手を入れる仕草を排便の兆候として母親が察知し、便に触れる前にオムツ換えを行うことができれば便いじりを阻止することができるが、例えば、食事の準備中に被験者が２階に移動するなどして、母親の視界から離れた隙に問題行動は発生した。本発明の衣服は、第１月から第７月に平均して覚醒時間の内８〜１０時間着用された。実際には、週４〜５日に覚醒時間中すべて着用し、残りの日数は通常の衣服を着用した。本発明の衣服を着用している間は被験者は排便してもオムツに手を入れることができないため、便いじりは１００％阻止された。代わりに衣服の上から便をいじるなどの行動も見られなかった。無理に脱衣を試みようとする様子もなく、母親は被験者の様子や匂いにより排便に気づき、対処が可能であった。第１月の２回、第４月の１回の事象は、何れも本発明の衣服を着用していない時に発生した。一方、母親は本発明の衣服の着用を開始すると同時に、排便の度に「うんちでた」と発声させる練習を開始した。この成果により第５月には、被験者は排便後に言葉でその事実を伝えることができるようになった。第８月から被験者は平日の９時から１４時に児童発達支援センターに通園をはじめた。通園に伴い、着用時間を意図的に減少させたが、行動の再発生は認められなかった。第９月からは園と自宅でトイレトレーニングが開始され、覚醒時間中は本発明の衣服およびオムツの使用を中止した。第１２月では、排尿はほとんどトイレで行い、排便は布パンツまたは夜間オムツに履き替えたのちにオムツで行い、排便後に親に知らせることで親が対処する方法に定着した。斯くして便いじりの問題行動は消滅した。
【符号の説明】
【００３４】
１１  内身頃
１２  外身頃
１４  下衣部
２２  カバー部材
ｅ、ｆ  第１の連結部
ｄ、ｃ、ｈ、ｇ、ｈ’、ｃ’  第２の連結部
ａ、ｂ、ｄ、ｏ、ｐ、ｇ、ｉ、ｊ  上衣部の見える部分
ａ、ｂ、ｃ、ｈ、ｉ、ｊ  内身頃の見える部分
ｄ、ｏ、ｐ、ｇ  外身頃の見える部分
ｂ  右袖回りの上部
ｄ  右袖回りの下部
ｉ  左袖回りの上部
ｇ  左袖回りの下部
２１  ファスナー式開閉部
ｘ  ファスナー式開閉部の開放終点
ｙ  ファスナー式開閉部の開放始点
ｕ  股部の最下端
５１  上衣部
５２  下衣部
５３  内身頃
５４  外身頃
【図１】
2018035484.tif 000003
【図２】
2018035484.tif 000004
【図３】
2018035484.tif 000005
【図４】
2018035484.tif 000006
【図５】
2018035484.tif 000007
【図６】
2018035484.tif 000008